(57)【特許請求の範囲】
【請求項１】
表示部と操作部とが連結部により折り畳み可能に連結された折り畳み式携帯電話機に内蔵される折り畳み式携帯電話機用アンテナにおいて、前記表示部又は操作部の一方に内蔵され無線通信用信号の送受信を行う無線通信用アンテナと、前記表示部又は操作部の他方に内蔵され通話用信号の送受信を行う通話用アンテナと、前記折り畳み式携帯電話機の開閉に応じて前記無線通信用アンテナ及び／又は通話用アンテナの指向性を変化させる指向性変化手段と、を有し、前記指向性変化手段は、指向性を変化させるアンテナに接続された接地パターンと、この接地パターンに接続されたスイッチと、このスイッチにより前記折り畳み式携帯電話機の開閉に応じて前記接地パターンとの間の導通／非導通が制御されるパターンと、を有し、前記指向性を変化させるアンテナはパッチアンテナであり、前記指向性変化手段は、前記折り畳み式携帯電話機を閉にしたときに前記指向性を変化させるアンテナから他方のアンテナに向かう指向性が前記折り畳み式携帯電話機が開のときよりも小さくなるように前記スイッチを制御することを特徴とする折り畳み式携帯電話機用アンテナ。
【請求項２】
表示部と操作部とが連結部により折り畳み可能に連結された折り畳み式携帯電話機に内蔵される折り畳み式携帯電話機用アンテナにおいて、前記表示部又は操作部の一方に内蔵され無線通信用信号の送受信を行う無線通信用アンテナと、前記表示部又は操作部の他方に内蔵され通話用信号の送受信を行う通話用アンテナと、前記折り畳み式携帯電話機の開閉に応じて前記無線通信用アンテナ及び／又は通話用アンテナの指向性を変化させる指向性変化手段と、を有し、前記指向性変化手段は、指向性を変化させるアンテナに接続された接地パターンと、この接地パターンに接続されその表面が前記接地パターンに平行な板金と、この板金の位置を変更して前記接地パターンに垂直な方向から見たときの前記接地パターン及び板金の面積の総計を前記折り畳み式携帯電話機の開閉に応じて変化させる面積変化手段と、を有し、前記指向性を変化させるアンテナはパッチアンテナであり、前記面積変化手段は、前記折り畳み式携帯電話機を閉にしたときに前記指向性を変化させるアンテナから他方のアンテナに向かう指向性が前記折り畳み式携帯電話機が開のときよりも小さくなるように前記板金の位置を制御することを特徴とする折り畳み式携帯電話機用アンテナ。
【請求項３】
前記面積変化手段は、前記板金を案内する案内部材と、前記接地パターン及び板金に接する導電性板ばねと、前記板金を前記折り畳み式携帯電話機の開閉に応じて移動させる移動手段と、を有することを特徴とする請求項２に記載の折り畳み式携帯電話機用アンテナ。
【請求項４】
表示部と操作部とが連結部により折り畳み可能に連結された折り畳み式携帯電話機に内蔵される折り畳み式携帯電話機用アンテナにおいて、前記表示部又は操作部の一方に内蔵され無線通信用信号の送受信を行う無線通信用アンテナと、前記表示部又は操作部の他方に内蔵され通話用信号の送受信を行う通話用アンテナと、前記折り畳み式携帯電話機の開閉に応じて前記無線通信用アンテナ及び／又は通話用アンテナの偏波面を変化させる偏波面変化手段とを有し、前記偏波面を変化させるアンテナはエレメント型アンテナであり、前記偏波面変化手段は、前記折り畳み式携帯電話機を閉にしたときに前記偏波面を変化させるアンテナの偏波面を他方のアンテナの偏波面に交差させることを特徴とする折り畳み式携帯電話機用アンテナ。
【請求項５】
前記偏波面を変化させるアンテナは、偏波面が相互に交差する２個の部分アンテナを有し、前記偏波面変化手段は、前記折り畳み式携帯電話機を閉にしたときに、いずれかの前記部分アンテナを選択することにより、偏波面を変化させるアンテナの偏波面を変化させることを特徴とする請求項４に記載の折り畳み式携帯電話機用アンテナ。
【請求項６】
前記偏波面を変化させるアンテナは、その長手方向が変化するように回転可能に設けられており、前記偏波面変化手段は、前記折り畳み式携帯電話機を閉にしたときに、前記偏波面を変化させるアンテナを回転させてその偏波面を変化させることを特徴とする請求項４に記載の折り畳み式携帯電話機用アンテナ。
【請求項７】
請求項１乃至６のいずれか１項に記載の折り畳み式携帯電話機用アンテナを有することを特徴とする折り畳み式携帯電話機。
【発明の詳細な説明】
【０００１】
【発明の属する技術分野】
本発明は複数種の信号の送受信が可能な折り畳み式携帯電話機に好適な折り畳み式携帯電話機用アンテナ及びそれを備えた折り畳み式携帯電話機に関し、特に、アンテナ間の相互干渉の低減を図った折り畳み式携帯電話機用アンテナ及びそれを備えた折り畳み式携帯電話機に関する。
【０００２】
【従来の技術】
従来の携帯電話機のアンテナでは、特に携帯電話機での通信に関して最大の感度が得られるようにアンテナの実装及び指向性が決定されていた。また、近時、携帯電話機の多機能化に伴い、本来の携帯電話機での通信機能以外に他の無線通信機能、例えばＧＰＳ及びＢｌｕｅｔｏｏｔｈ等の機能を合わせもつことが要求されている。
【０００３】
一般に、２つの無線機のアンテナを近づけた場合、相互のアンテナが干渉し合うため、各々の無線通信に悪影響が及ぶ。このため、１つの携帯電話機に複数の無線機用のアンテナを設ける場合には、それらの実装位置及びアンテナの指向性を工夫する必要がある。
【０００４】
互いのアンテナ干渉を防止する方法として最も効果のある方法は、２つのアンテナの実装位置を離すことである。図１６は従来の折り畳み式携帯電話機を示す模式図であって、（ａ）は開かれた状態を示し、（ｂ）は閉じられた状態を示す。従来の携帯電話機においては、表示部１１１の筐体内にＧＰＳ及びＢｌｕｅｔｏｏｔｈ等の無線通信用アンテナ１１３が設けられ、操作部１１２の筐体内に通話用アンテナ１１４が設けられている。アンテナ１１３及び１１４はエレメント型アンテナであり、互いに平行に配設されている。表示部１１１と操作部１１２とは連結部１１５により互いに連結されている。
【０００５】
このような従来の携帯電話機によれば、図１６（ａ）に示すように、開かれた状態で無線通信用アンテナ１１３と通話用アンテナ１１４とが大きく離間されるため、相互干渉が小さい。
【０００６】
【発明が解決しようとする課題】
しかしながら、図１６に示す従来の携帯電話機では、図１６（ｂ）に示すように、閉じられた状態で無線通信用アンテナ１１３と通話用アンテナ１１４とが近接するため、相互干渉が生じて通信に支障をきたすという問題点がある。
【０００７】
また、アンテナ感度を向上させることを目的として、同種の信号の送受信に使用する２個のアンテナを互いに直交するように配置した携帯電話機が特開２０００−１３４０２５号公報及び特開２００１−２３０６１４号公報に記載されている。しかしが、いずれの公報にも他種の信号の送受信に使用するアンテナの配置についての記載はなく、他種の信号用アンテナを配置する場合には、図１６に示すような構造になる。
【０００８】
更に、特開２０００−１３４０２６号公報には、指向性を変化させることを目的として、接地導体及び反射板の相対的な位置関係を変化させるモノポール・アンテナが記載されている。しかし、このようなモノポール・アンテナを携帯電話機に実装しようとすると、その構造が複雑なものとなる。また、このモノポール・アンテナは、室内の天井等に接地することを前提としており、そのまま携帯電話機に適用することは極めて困難である。
【０００９】
更にまた、特開平３−１７３２０３号公報には、小型化を目的として、基板の外周部に接地導体を設けたマイクロストリップアンテナが記載されている。しかし、マイクロストリップアンテナを小型化しても、相互干渉の問題点は解決されない。
【００１０】
また、特開平６−２２４６２１号公報には、移動通信システムの基地局で使用するアンテナに関し、指向性を変化させることを目的として、基板を挟んでパッチ部及び金属板を配置し、金属板の位置を変化させることが記載されている。しかし、このアンテナは基地局での使用を前提としているため、そのまま携帯電話機に適用することが極めて困難であると共に、例え携帯電話機に適用したとしても２個のアンテナ間の相互干渉を抑制することはできない。
【００１１】
本発明はかかる問題点に鑑みてなされたものであって、少なくとも２種の信号の送受信を行うことが可能な折り畳み式携帯電話機におけるアンテナ間の相互干渉を抑制することができる折り畳み式携帯電話機用アンテナ及びそれを備えた折り畳み式携帯電話機を提供することを目的とする。
【００１２】
【課題を解決するための手段】
本発明に係る折り畳み式携帯電話機用アンテナは、表示部と操作部とが連結部により折り畳み可能に連結された折り畳み式携帯電話機に内蔵される折り畳み式携帯電話機用アンテナにおいて、前記表示部又は操作部の一方に内蔵され無線通信用信号の送受信を行う無線通信用アンテナと、前記表示部又は操作部の他方に内蔵され通話用信号の送受信を行う通話用アンテナと、前記折り畳み式携帯電話機の開閉に応じて前記無線通信用アンテナ及び／又は通話用アンテナの指向性を変化させる指向性変化手段と、を有し、前記指向性変化手段は、指向性を変化させるアンテナに接続された接地パターンと、この接地パターンに接続されたスイッチと、このスイッチにより前記折り畳み式携帯電話機の開閉に応じて前記接地パターンとの間の導通／非導通が制御されるパターンと、を有し、前記指向性を変化させるアンテナはパッチアンテナであり、前記指向性変化手段は、前記折り畳み式携帯電話機を閉にしたときに前記指向性を変化させるアンテナから他方のアンテナに向かう指向性が前記折り畳み式携帯電話機が開のときよりも小さくなるように前記スイッチを制御することを特徴とする。
【００１３】
本発明においては、指向性変化手段により、折り畳み式携帯電話機用アンテナの開閉に応じてアンテナ部材の指向性が変化するため、指向性を適切に調整することにより、他のアンテナとの間の相互干渉が低減される。
【００１４】
本発明に係る他の折り畳み式携帯電話機用アンテナは、表示部と操作部とが連結部により折り畳み可能に連結された折り畳み式携帯電話機に内蔵される折り畳み式携帯電話機用アンテナにおいて、前記表示部又は操作部の一方に内蔵され無線通信用信号の送受信を行う無線通信用アンテナと、前記表示部又は操作部の他方に内蔵され通話用信号の送受信を行う通話用アンテナと、前記折り畳み式携帯電話機の開閉に応じて前記無線通信用アンテナ及び／又は通話用アンテナの指向性を変化させる指向性変化手段と、を有し、前記指向性変化手段は、指向性を変化させるアンテナに接続された接地パターンと、この接地パターンに接続されその表面が前記接地パターンに平行な板金と、この板金の位置を変更して前記接地パターンに垂直な方向から見たときの前記接地パターン及び板金の面積の総計を前記折り畳み式携帯電話機の開閉に応じて変化させる面積変化手段と、を有し、前記指向性を変化させるアンテナはパッチアンテナであり、前記面積変化手段は、前記折り畳み式携帯電話機を閉にしたときに前記指向性を変化させるアンテナから他方のアンテナに向かう指向性が前記折り畳み式携帯電話機が開のときよりも小さくなるように前記板金の位置を制御することを特徴とする。前記面積変化手段は、前記板金を案内する案内部材と、前記接地パターン及び板金に接する導電性板ばねと、前記板金を前記折り畳み式携帯電話機の開閉に応じて移動させる移動手段と、を有することが好ましい。
【００１５】
本発明に係る更に他の折り畳み式携帯電話機用アンテナは、表示部と操作部とが連結部により折り畳み可能に連結された折り畳み式携帯電話機に内蔵される折り畳み式携帯電話機用アンテナにおいて、前記表示部又は操作部の一方に内蔵され無線通信用信号の送受信を行う無線通信用アンテナと、前記表示部又は操作部の他方に内蔵され通話用信号の送受信を行う通話用アンテナと、前記折り畳み式携帯電話機の開閉に応じて前記無線通信用アンテナ及び／又は通話用アンテナの偏波面を変化させる偏波面変化手段とを有し、前記偏波面を変化させるアンテナはエレメント型アンテナであり、前記偏波面変化手段は、前記折り畳み式携帯電話機を閉にしたときに前記偏波面を変化させるアンテナの偏波面を他方のアンテナの偏波面に交差させることを特徴とする。
【００１６】
前記偏波面を変化させるアンテナは、偏波面が相互に交差する２個の部分アンテナを有し、前記偏波面変化手段は、前記折り畳み式携帯電話機を閉にしたときに、いずれかの前記部分アンテナを選択することにより、偏波面を変化させるアンテナの偏波面を変化させるか、又は前記偏波面を変化させるアンテナは、その長手方向が変化するように回転可能に設けられており、前記偏波面変化手段は、前記折り畳み式携帯電話機を閉にしたときに、前記偏波面を変化させるアンテナを回転させてその偏波面を変化させるように構成することができる。
【００１７】
本発明に係る折り畳み式携帯電話機は、上述のいずれかの折り畳み式携帯電話機用アンテナを有することを特徴とする。
【００１８】
【発明の実施の形態】
以下、本発明の実施例に係る折り畳み式携帯電話機用アンテナについて、添付の図面を参照して具体的に説明する。図１は本発明の第１の実施例に係る折り畳み式携帯電話機を示す模式図であり、図２は第１の実施例に係る折り畳み式携帯電話機用アンテナに実装された無線通信用アンテナ（折り畳み式携帯電話機用アンテナ）の構成を示す模式図である。
【００１９】
第１の実施例に係る折り畳み式携帯電話機においては、図１に示すように、表示部１１と操作部１２とが連結部１５により折り畳み可能に互いに連結されている。そして、表示部１１の筐体内に無線通信用アンテナ１３が実装され、操作部１２の筐体内に通話用アンテナ１４が実装されている。
【００２０】
無線通信用アンテナ１３においては、図２に示すように、基板５上にＧＮＤべたパターン２及びべたパターン３が形成されている。ＧＮＤべたパターン２とべたパターン３との間にはスイッチ４が設けられており、ＧＮＤべたパターン２とべたパターン３とは、スイッチ４がオフのときには絶縁されているが、スイッチ４がオンとなったときにＧＮＤべたパターン２とべたパターン３とが互いに導通する。また、ＧＮＤべたパターン２上にはアンテナの指向性を左右するパッチアンテナ１が形成されている。このパッチアンテナ１を介してＧＰＳ及びＢｌｕｅｔｏｏｔｈ等の情報通信が行われる。なお、無線通信用アンテナ１３の実装の際には、基板５がパッチアンテナ１よりも表示部１１の表示面側に配置される。つまり、表示面から見ると、パッチアンテナ１は基板５の裏側に位置することになる。更に、図示しないが、基板５には、一般的なアンテナ給電回路、ＲＦ回路、制御回路、表示回路等の回路部品が実装されている。なお、スイッチ４は、例えばセンサ等に接続されており、携帯電話機が開いた状態ではオフ、携帯電話機が閉じられた状態ではオンとなるように制御される。
【００２１】
次に、本実施例の動作について説明する。先ず、具体的な動作の説明の前にパッチアンテナの指向性とＧＮＤベタパターンの広さとの関係について説明する。図３（ａ）はパッチアンテナに接続されたＧＮＤべたパターンが比較的狭い状態を示す模式図、（ｂ）はＧＮＤべたパターンが比較的広い状態を示す模式図である。また、図４はパッチアンテナの指向性を示すグラフ図であり、破線は図３（ａ）に示す状態の指向性を示し、実線は図３（ｂ）に示す状態の指向性を示す。
【００２２】
基板５ａ上のパッチアンテナ１ａの特性は、一般にその下に設けられたＧＮＤべたパターンの広さに応じて変化する。つまり、図３（ａ）に示すように、比較的狭いＧＮＤべたパターン２ａが設けられている場合と、図３（ｂ）に示すように、比較的広いＧＮＤべたパターン２ｂが設けられている場合とを比較すると、図４に示すように、ＧＮＤべたパターン２ａが設けられている場合（破線）の方が、パッチアンテナ１ａの実装面に対して鉛直下向き方向（−Ｚ方向）への指向性が強くなり、ＧＮＤべたパターン２ｂが設けられている場合（実線）の方が、パッチアンテナ１ａの実装面に対して鉛直上向き方向（＋Ｚ方向）への指向性が強くなる。
【００２３】
次に、第１の実施例の具体的な動作について説明する。
【００２４】
携帯電話機が開かれた状態では、スイッチ４はオフ状態となっている。従って、パッチアンテナ１に対してＧＮＤべたパターンとして作用する部分はＧＮＤべたパターン２のみである。
【００２５】
一方、携帯電話機が閉じられた状態では、スイッチ４がオン状態となる。従って、べたパターン３がＧＮＤべたパターン２に接続され、ＧＮＤべたパターン２のみならず、べたパターン３もパッチアンテナ１に対してＧＮＤべたパターンとして作用し、ＧＮＤべたパターンとして作用する部分の面積が大きくなる。
【００２６】
このため、携帯電話機が開かれた状態と閉じられた状態とを比較すると、開かれた状態が図３（ａ）に示す状態に相当し、閉じられた状態が図３（ｂ）に示す状態に相当する。つまり、携帯電話機が開かれた状態では、図４の破線で示すように、−Ｚ方向に強い指向性を示し、閉じられた状態では、図４の実線で示すように、＋Ｚ方向に強い指向性を示す。従って、パッチアンテナ１の指向性は、携帯電話機が開かれた状態では、表示部１１の表示面側、即ち基板５の実装面の裏面側に対して比較的強くなり、閉じられた状態では、表示部１１の表示面側に対して弱くなり、つまりアンテナの利得が小さくなる。このため、携帯電話機が閉じられた状態では、無線通信用アンテナ１３と通話用アンテナ１４とが近接するものの、これらのアンテナ間での相互干渉が抑制される。
【００２７】
また、本実施例の表示部１１の筐体内には、２種類のマッチング回路が設けられている。図５は第１の実施例に設けられたマッチング回路を示すブロック図である。ＧＮＤべたパターンの面積を変化させた場合、一般にアンテナのマッチング特性が変化する。本実施例においては、アンテナ１３とＲＦフロントエンド回路２１との間に２種類のマッチング回路２２及び２３を互いに並列に接続し、携帯電話機の開閉に応じて、選択スイッチ２４ａ及び２４ｂにより、いずれかのマッチング回路を介してアンテナ１３とＲＦフロントエンド回路２１とを接続させる。具体的には、マッチング回路２２は、携帯電話機が開かれている状態、即ちＧＮＤべたパターンの面積が小さい状態でアンテナマッチングがとれるように予め設定されており、マッチング回路２３は、携帯電話機が閉じられている状態、即ちＧＮＤべたパターンの面積が大きい状態でアンテナマッチングがとれるように予め設定されている。そして、選択スイッチ２４ａ及び２４ｂは、携帯電話機が開かれている状態では、マッチング回路２２が選択され、携帯電話機が閉じられている状態では、マッチング回路２３が選択されるように制御される。このような構成とすることにより、簡単にアンテナとのマッチングを最良に保つことができる。
【００２８】
なお、図１では、説明の便宜上、ＧＮＤべたパターン２とべたパターン３とが細い線を介して接続されているが、アンテナの特性を左右するために、太いパターンでの接続が好ましい。
【００２９】
また、スイッチ４の開閉の制御については、上述のようにセンサ等に接続して電気的に制御する方法の他、機械的に制御してもよく、特に限定されるものではない。
【００３０】
次に、本発明の第２の実施例について説明する。図６は本発明の第２の実施例に係る折り畳み式携帯電話機用アンテナの構成を示す模式図である。
【００３１】
第２の実施例においては、基板５上にべたパターン３がＧＮＤべたパターン２を取り囲むようにして形成されている。そして、第１の実施例と同様に、ＧＮＤべたパターン２とべたパターン３との間にスイッチ４が接続されている。
【００３２】
このような構成の第２の実施例によっても、携帯電話機の開閉に応じてスイッチ４のオン／オフが切り替えられ、パッチアンテナ１の指向性が変化する。この結果、携帯電話機が閉じられた状態でも、無線通信用アンテナ１３と通話用アンテナ１４との間の干渉が緩和される。
【００３３】
次に、本発明の第３の実施例について説明する。図７は本発明の第３の実施例に係る折り畳み式携帯電話機用アンテナの構成を示す模式図であって、（ａ）は携帯電話機が開かれたときの状態を示し、（ｂ）は携帯電話機が閉じられたときの状態を示す。
【００３４】
第３の実施例には、第１及び第２の実施例で設けられているべたパターン３が設けられておらず、その代わりにＧＮＤべたパターン２の上方を移動可能な板金６が設けられている。板金６は、例えばＧＮＤべたパターン２に電気的に接続されており、その電位はＧＮＤレベルにある。また、板金６は、図７（ａ）及び（ｂ）に示すように、携帯電話機の開閉に応じてＧＮＤべたパターン２の露出面積を変化させ、携帯電話機が開かれているときの露出面積を閉じられているときの露出面積よりも小さくする。
【００３５】
この結果、板金６がパッチアンテナ１に対してＧＮＤべたパターンとして作用すると共に、ＧＮＤべたパターン２のうち、パッチアンテナ１に対してＧＮＤべたパターンとして作用する部分の面積が変化するため、第１及び第２の実施例と同様の効果が得られる。
【００３６】
次に、板金３を移動させる機械的な構造について説明する。図８及び図９は、夫々本発明の第３の実施例に係る折り畳み式携帯電話機用アンテナの機械的構造を示す断面図及び側面図である。
【００３７】
板金６は、導電性の板ばね７を介して基板５上のＧＮＤべたパターン２に接続され、ＧＮＤ面を構成する。また、板金６は基板５に固定されたガイドレール８に倣ってスライド可能となっている。つまり、ガイドレール８が板金６を案内する。更に、図示しないが、板金６を機械的に移動させる装置が設けられている。
【００３８】
このような構造により、板金６には安定したＧＮＤ面を確保した状態で、ＧＮＤべたパターンの面積を拡大又は縮小することが可能となる。
【００３９】
次に、本発明の第４の実施例について説明する。第４の実施例では、放射パターンではなくアンテナの偏波を変化させることにより、アンテナ間の相互干渉を抑制する。図１０は本発明の第４の実施例に係る折り畳み式携帯電話機を示す模式図であり、図１１は第４の実施例に係る折り畳み式携帯電話機用アンテナに実装された無線通信用アンテナ（折り畳み式携帯電話機用アンテナ）の構成を示す模式図である。
【００４０】
第４の実施例においては、表示部１１の基板５上に、例えばモノポールアンテナ又はＣｈｉｐ  Ｃｅｒａｍｉｃ型アンテナ等の水平及び垂直の偏波特性を持つエレメント型アンテナ１３ａ及び１３ｂが無線通信用アンテナとして配置されている。エレメント型アンテナ１３ａは、操作部１２の筐体内の通話用アンテナ１４と平行に配置され、エレメント型アンテナ１３ｂは、通話用アンテナ１４及びエレメント型アンテナ１３ａに対して垂直に配置されている。また、エレメント型アンテナ１３ａ及び１３ｂに接続されたアンテナ切替器１６が基板５上に設けられている。アンテナ切替器１６は、携帯電話機の開閉の状態に応じて、信号の送受信が可能なアンテナをエレメント型アンテナ１３ａ及び１３ｂから選択する。具体的には、携帯電話機が開いている状態では、エレメント型アンテナ１３ａを選択し、閉じられている状態では、エレメント型アンテナ１３ｂを選択する。なお、これらの実装の際には、基板５がエレメント型アンテナ１３ａ及び１３ｂよりも表示部１１の表示面側に配置される。つまり、表示面から見ると、エレメント型アンテナ１３ａ及び１３ｂは基板５の裏側に位置することになる。
【００４１】
次に、上述のように構成された第４の実施例の動作について説明する。図１２は携帯電話機の開閉と送受信可能なアンテナの位置との関係を示す模式図であって、（ａ）は携帯電話機が開かれたときの状態を示し、（ｂ）は携帯電話機が閉じられたときの状態を示す。
【００４２】
携帯電話機が開かれた状態では、図１２（ａ）に示すように、アンテナ切替器１６は送受信可能なアンテナとしてエレメント型アンテナ１３ａを選択する。従って、送受信が可能な２つのアンテナ１３ａ及び１４は、表示部１１及びキー操作部１２の各両端に位置する。つまり、物理的に距離が離れているため、互いの干渉は極めて小さい。
【００４３】
一方、携帯電話機が閉じられた状態では、図１２（ｂ）に示すように、送受信が可能な２つのアンテナ１３ｂ及び１４が互いに近接した状態となるが、各アンテナが延びる方向が９０度交差し、偏波面が９０度ずれるため、互いのアンテナの干渉が抑制される。
【００４４】
このような第４の実施例によれば、無線通信用アンテナと通話用アンテナ１３との相互干渉を抑制することができると共に、マッチング回路を設けなくても、適切なマッチング特性を得ることができる。
【００４５】
次に、本発明の第５の実施例について説明する。図１３は本発明の第５の実施例に係る折り畳み式携帯電話機を示す模式図であり、図１４は第５の実施例に係る折り畳み式携帯電話機用アンテナに実装された無線通信用アンテナ（折り畳み式携帯電話機用アンテナ）の構成を示す模式図である。
【００４６】
第５の実施例においては、表示部１１の基板５上に、第４の実施例と同様のエレメント型アンテナ１３ｃが無線通信用アンテナとして配置されている。また、基板５上には、エレメント型アンテナ１３ｃの向きを変えることができる可動部１７が設けられている。可動部１７は、携帯電話機が開いている状態では、エレメント型アンテナ１３ｃを、操作部１２内の通話用アンテナ１４に平行に配置させ、閉じられている状態では、通話用アンテナ１４に垂直に配置させる。なお、これらの実装の際には、基板５がエレメント型アンテナ１３ｃよりも表示部１１の表示面側に配置される。つまり、表示面から見ると、エレメント型アンテナ１３ｃは基板５の裏側に位置することになる。
【００４７】
次に、上述のように構成された第５の実施例の動作について説明する。
【００４８】
携帯電話機が開かれた状態では、図１４の実線で示すように、可動部１７はエレメント型アンテナ１３ｃを通話用アンテナ１４に平行に配置させる。従って、２つのアンテナ１３ｃ及び１４は、表示部１１及びキー操作部１２の各両端に位置する。つまり、物理的に距離が離れているため、互いの干渉は極めて小さい。
【００４９】
一方、携帯電話機が閉じられた状態では、図１４の破線で示すように、可動部１７はエレメント型アンテナ１３ｃを通話用アンテナ１４に垂直に配置させる。従って、２つのアンテナ１３ｃ及び１４が互いに近接した状態となるが、各アンテナが延びる方向が９０度交差し、偏波面が９０度ずれるため、互いのアンテナの干渉が抑制される。
【００５０】
このような第５の実施例によれば、第４の実施例と同様の効果が得られる。
【００５１】
なお、エレメント型アンテナ１３ｃの移動方法については、センサを用いて電気的に行ってもよく、機械的に行ってもよく、特に限定されるものではない。
【００５２】
次に、本発明の参考例について説明する。図１５はこの参考例における携帯電話機の開閉とアンテナの位置との関係を示す模式図であって、（ａ）は携帯電話機が開かれたときの状態を示し、（ｂ）は携帯電話機が閉じられたときの状態を示す。
【００５３】
この参考例においては、表示部１１の筐体内に、操作部１２の筐体内の通話用アンテナ１４に垂直にエレメント型アンテナ１３ｄが設けられている。
【００５４】
このような参考例によれば、携帯電話機が開かれた状態でも、十分に相互干渉を抑制することができ、かつ、アンテナの通信に良好な特性が得られる場合は、第５の実施例と比較すると、部品点数を削減でき、コストを低減することができる。
【００５５】
【発明の効果】
以上詳述したように、本発明によれば、折り畳み式携帯電話機用アンテナの開閉に応じてアンテナ部材の指向性を変化させることができるため、指向性を適切に調整することにより、他のアンテナとの間の相互干渉を低減することができる。
【図面の簡単な説明】
【図１】本発明の第１の実施例に係る折り畳み式携帯電話機を示す模式図である。
【図２】第１の実施例に係る折り畳み式携帯電話機用アンテナに実装された無線通信用アンテナの構成を示す模式図である。
【図３】（ａ）はパッチアンテナに接続されたＧＮＤべたパターンが比較的狭い状態を示す模式図、（ｂ）はＧＮＤべたパターンが比較的広い状態を示す模式図である。
【図４】パッチアンテナの指向性を示すグラフ図である。
【図５】第１の実施例に設けられたマッチング回路を示すブロック図である。
【図６】本発明の第２の実施例に係る折り畳み式携帯電話機用アンテナの構成を示す模式図である。
【図７】本発明の第３の実施例に係る折り畳み式携帯電話機用アンテナの構成を示す模式図である。
【図８】本発明の第３の実施例に係る折り畳み式携帯電話機用アンテナの機械的構造を示す断面図である。
【図９】本発明の第３の実施例に係る折り畳み式携帯電話機用アンテナの機械的構造を示す側面図である。
【図１０】本発明の第４の実施例に係る折り畳み式携帯電話機を示す模式図である。
【図１１】第４の実施例に係る折り畳み式携帯電話機用アンテナに実装された無線通信用アンテナの構成を示す模式図である。
【図１２】携帯電話機の開閉と送受信可能なアンテナの位置との関係を示す模式図である。
【図１３】本発明の第５の実施例に係る折り畳み式携帯電話機を示す模式図である。
【図１４】第５の実施例に係る折り畳み式携帯電話機用アンテナに実装された無線通信用アンテナの構成を示す模式図である。
【図１５】参考例における携帯電話機の開閉とアンテナの位置との関係を示す模式図である。
【図１６】従来の折り畳み式携帯電話機を示す模式図である。
【符号の説明】
１、１ａ；パッチアンテナ
２、２ａ、２ｂ；ＧＮＤべたパターン
３；べたパターン
４；スイッチ
５、５ａ；基板
６；板金
７；板ばね
８；ガイドレール
１１、１１１；表示部
１２、１１２；操作部
１３、１３ａ、１３ｂ、１３ｃ、１３ｄ、１１３；無線通信用アンテナ
１４、１１４；通話用アンテナ
１５、１１５；連結部
１６；アンテナ切替器
１７；可動部
２１；ＲＦフロントエンド回路
２２、２３；マッチング回路
２４ａ、２４ｂ；選択スイッチ
【図１】
0003633548.tif 000002
【図２】
0003633548.tif 000003
【図３】
0003633548.tif 000004
【図４】
0003633548.tif 000005
【図５】
0003633548.tif 000006
【図６】
0003633548.tif 000007
【図７】
0003633548.tif 000008
【図８】
0003633548.tif 000009
【図９】
0003633548.tif 000010
【図１０】
0003633548.tif 000011
【図１１】
0003633548.tif 000012
【図１２】
0003633548.tif 000013
【図１３】
0003633548.tif 000014
【図１４】
0003633548.tif 000015
【図１５】
0003633548.tif 000016
【図１６】
0003633548.tif 000017